(57)【特許請求の範囲】
【請求項１】
複数のＴＤＭ(Time Division Multiplexing)回線を非同期網に接続するための回線エミュレーション装置であって、
前記複数のＴＤＭ回線の各々の宛先となる前記非同期網上の他の回線エミュレーション装置のアドレスを格納するテーブルと、
前記テーブルを参照することで、前記複数のＴＤＭ回線のうち同一の宛先アドレスとなるＴＤＭ回線のＴＤＭデータを束ねたペイロードに前記宛先アドレスを含むヘッダを付与した多重パケットを生成するパケット組立手段と、
前記多重パケットを前記非同期網へ送信する送信手段と、
を有し、
前記パケット組立手段は、
前記複数のＴＤＭ回線の各々のＴＤＭデータと当該ＴＤＭ回線の回線宛先情報とからなる個別ＴＤＭペイロードを生成する分解手段と、
前記テーブルを参照することで、同一の宛先アドレスとなる前記個別ＴＤＭペイロードを束ねて多重化ＴＤＭペイロードを生成し前記多重パケットを組み立てる組立手段と、
を有し、
前記回線宛先情報はＭＰＬＳ(Multi-Protocol Label Switched)ラベルおよびＵＤＰポート番号からなることを特徴とする回線エミュレーション装置。
【請求項２】
前記パケット組立手段は、さらに、前記複数のＴＤＭ回線の各々のＴＤＭデータから回線エミュレーションサービスCESoPSN（Circuit Emulation Service over Packet Switched Network）に従った個別パケットを生成するCESoPSNパケット生成手段を有し、前記分解手段は、前記個別パケットから前記回線宛先情報以外のヘッダ情報を削除することで前記個別ＴＤＭペイロードを生成する、ことを特徴とする請求項１に記載の回線エミュレーション装置。
【請求項３】
他の回線エミュレーション装置から多重パケットを受信する受信手段と、
前記多重パケットを分解し、そのペイロードからＴＤＭ回線毎のＴＤＭデータを取り出すパケット分解手段と、
を更に有することを特徴とする請求項１または２に記載の回線エミュレーション装置。
【請求項４】
複数のＴＤＭ(Time Division Multiplexing)回線を非同期網に接続する複数の回線エミュレーション装置を含む回線エミュレーションシステムであって、
送信側の回線エミュレーション装置は、
前記複数のＴＤＭ回線の各々の宛先となる前記非同期網上の他の回線エミュレーション装置のアドレスを格納するテーブルと、
前記テーブルを参照することで、前記複数のＴＤＭ回線のうち同一の宛先アドレスとなるＴＤＭ回線のＴＤＭデータを束ねたペイロードに前記宛先アドレスを含むヘッダを付与した多重パケットを生成するパケット組立手段と、
前記多重パケットを前記非同期網へ送信する送信手段と、
を有し、
前記パケット組立手段は、
前記複数のＴＤＭ回線の各々のＴＤＭデータと当該ＴＤＭ回線の回線宛先情報とからなる個別ＴＤＭペイロードを生成する分解手段と、
前記テーブルを参照することで、同一の宛先アドレスとなる前記個別ＴＤＭペイロードを束ねて多重化ＴＤＭペイロードを生成し前記多重パケットを組み立てる組立手段と、
を有し、
前記回線宛先情報はＭＰＬＳ(Multi-Protocol Label Switched)ラベルおよびＵＤＰポート番号からなり、
受信側の回線エミュレーション装置は、
前記送信側の回線エミュレーション装置から多重パケットを受信する受信手段と、
前記多重パケットを分解し、そのペイロードからＴＤＭ回線毎のＴＤＭデータを取り出すパケット分解手段と、
を有する、ことを特徴とする回線エミュレーションシステム。
【請求項５】
複数のＴＤＭ(Time Division Multiplexing)回線を非同期網に接続するための回線エミュレーション方法であって、
前記複数のＴＤＭ回線の各々のＴＤＭデータを終端し、
前記複数のＴＤＭ回線の各々の宛先となる前記非同期網上の他の回線エミュレーション装置のアドレスを格納したテーブルを参照することで、前記複数のＴＤＭデータのうち同一の宛先アドレスとなるＴＤＭ回線のＴＤＭデータを束ねたペイロードを生成し、
前記ペイロードに前記宛先アドレスを含むヘッダを付与した多重パケットを生成し、
前記多重パケットを前記非同期網へ送信し、
前記ペイロードは、前記複数のＴＤＭ回線の各々のＴＤＭデータと当該ＴＤＭ回線の回線宛先情報とからなる個別ＴＤＭペイロードを生成し、前記テーブルを参照することで、同一の宛先アドレスとなる前記個別ＴＤＭペイロードを束ねて生成され、
前記回線宛先情報はＭＰＬＳ(Multi-Protocol Label Switched)ラベルおよびＵＤＰポート番号からなる、
ことを特徴とする回線エミュレーション方法。
【請求項６】
前記複数のＴＤＭ回線の各々のＴＤＭデータから回線エミュレーションサービスCESoPSN（Circuit Emulation Service over Packet Switched Network）に従った個別パケットを生成し、前記個別パケットから前記回線宛先情報以外のヘッダ情報を削除することで前記個別ＴＤＭペイロードが生成されることを特徴とする請求項５に記載の回線エミュレーション方法。
【請求項７】
複数のＴＤＭ(Time Division Multiplexing)回線を非同期網に接続するための回線エミュレーション方法であって、
送信側の回線エミュレーション装置が、前記複数のＴＤＭ回線の各々のＴＤＭデータを終端し、前記複数のＴＤＭ回線の各々の宛先となる前記非同期網上の他の回線エミュレーション装置のアドレスを格納したテーブルを参照することで、前記複数のＴＤＭデータのうち同一の宛先アドレスとなるＴＤＭ回線のＴＤＭデータを束ねたペイロードを生成し、前記ペイロードに前記宛先アドレスを含むヘッダを付与した多重パケットを生成し、前記多重パケットを前記非同期網へ送信し、
前記ペイロードは、前記複数のＴＤＭ回線の各々のＴＤＭデータと当該ＴＤＭ回線の回線宛先情報とからなる個別ＴＤＭペイロードを生成し、前記テーブルを参照することで、同一の宛先アドレスとなる前記個別ＴＤＭペイロードを束ねて生成され、前記回線宛先情報はＭＰＬＳ(Multi-Protocol Label Switched)ラベルおよびＵＤＰポート番号からなり、
受信側回線エミュレーション装置が、前記送信側の回線エミュレーション装置から多重パケットを受信し、前記多重パケットを分解し、そのペイロードからＴＤＭ回線毎のＴＤＭデータを取り出す、ことを特徴とする回線エミュレーション方法。
【請求項８】
複数のＴＤＭ(Time Division Multiplexing)回線を非同期網に接続するための回線エミュレーション装置としてプログラム制御プロセッサを機能させるためのコンピュータプログラムであって、
前記複数のＴＤＭ回線の各々のＴＤＭデータを終端し、
前記複数のＴＤＭ回線の各々の宛先となる前記非同期網上の他の回線エミュレーション装置のアドレスを格納したテーブルを参照することで、前記複数のＴＤＭデータのうち同一の宛先アドレスとなるＴＤＭ回線のＴＤＭデータを束ねたペイロードを生成し、
前記ペイロードに前記宛先アドレスを含むヘッダを付与した多重パケットを生成し、
前記多重パケットを前記非同期網へ送信し、
前記ペイロードは、前記複数のＴＤＭ回線の各々のＴＤＭデータと当該ＴＤＭ回線の回線宛先情報とからなる個別ＴＤＭペイロードを生成し、前記テーブルを参照することで、同一の宛先アドレスとなる前記個別ＴＤＭペイロードを束ねて生成され、前記回線宛先情報はＭＰＬＳ(Multi-Protocol Label Switched)ラベルおよびＵＤＰポート番号からなる、
ように前記プログラム制御プロセッサを機能させることを特徴とするコンピュータプログラム。
【発明の詳細な説明】
【技術分野】
【０００１】
本発明はＰＷＥ３(Pseudo Wire Emulation Edge to Edge)技術に係り、特にＴＤＭ(Time Division Multiplexing)信号をイーサネット（登録商標、以下、「Ether」と略記する。）やパケット交換網などの非同期網を通して転送するための回線エミュレーション方法および装置に関する。
【背景技術】
【０００２】
ＴＤＭ回線をパケット網などの非同期網で回線エミュレーションする技術が種々提案されている（たとえば特許文献１など）。特に、非特許文献１には、宛先のＴＤＭ回線毎に１以上のタイムスロットＴＳを束ねて１つのパケットを生成しパケット交換網を通して転送する回線エミュレーションサービスCESoPSN（Circuit Emulation Service over Packet Switched Network）が提案されている。
【先行技術文献】
【特許文献】
【０００３】
【特許文献１】特開２００８−１９９１６２号公報
【非特許文献】
【０００４】
【非特許文献１】Request for Comments: 5086 (Network Working Group, “Structure-Aware Time Division Multiplexed (TDM) Circuit Emulation Service over Packet Switched Network (CESoPSN)” December 2007）
【発明の概要】
【発明が解決しようとする課題】
【０００５】
しかしながら、非特許文献１のCESoPSNでは、出力ＴＤＭ回線毎にタイムスロットを束ねて１つのパケットを生成するので、パケット交換網ＰＳＮ(Packet Switched Network)上で同一宛先であったとしても個別にパケット化される。このために、同じEtherヘッダのパケットが複数転送されることになり、効率的なパケット転送およびネットワーク帯域の有効利用を達成できない。さらに、複数のパケットがパケットネットワーク上で行きかうことになるため中継機器での輻輳により揺らぎが発生やすくなる。
【０００６】
そこで、本発明の目的は、パケット数を削減してパケット転送の効率化およびネットワーク帯域の有効利用を達成できる回線エミュレーション方法および装置を提供することにある。
【課題を解決するための手段】
【０００７】
本発明による回線エミュレーション装置は、複数のＴＤＭ(Time Division Multiplexing)回線を非同期網に接続するための回線エミュレーション装置であって、前記複数のＴＤＭ回線の各々の宛先となる前記非同期網上の他の回線エミュレーション装置のアドレスを格納するテーブルと、前記テーブルを参照することで、前記複数のＴＤＭ回線のうち同一の宛先アドレスとなるＴＤＭ回線のＴＤＭデータを束ねたペイロードに前記宛先アドレスを含むヘッダを付与した多重パケットを生成するパケット組立手段と、前記多重パケットを前記非同期網へ送信する送信手段と、を有し、前記パケット組立手段は、前記複数のＴＤＭ回線の各々のＴＤＭデータと当該ＴＤＭ回線の回線宛先情報とからなる個別ＴＤＭペイロードを生成する分解手段と、前記テーブルを参照することで、同一の宛先アドレスとなる前記個別ＴＤＭペイロードを束ねて多重化ＴＤＭペイロードを生成し前記多重パケットを組み立てる組立手段と、を有し、前記回線宛先情報はＭＰＬＳ(Multi-Protocol Label Switched)ラベルおよびＵＤＰポート番号からなることを特徴とする。
【０００８】
本発明による回線エミュレーション方法は、複数のＴＤＭ(Time Division Multiplexing)回線を非同期網に接続するための回線エミュレーション方法であって、前記複数のＴＤＭ回線の各々のＴＤＭデータを終端し、前記複数のＴＤＭ回線の各々の宛先となる前記非同期網上の他の回線エミュレーション装置のアドレスを格納したテーブルを参照することで、前記複数のＴＤＭデータのうち同一の宛先アドレスとなるＴＤＭ回線のＴＤＭデータを束ねたペイロードを生成し、前記ペイロードに前記宛先アドレスを含むヘッダを付与した多重パケットを生成し、前記多重パケットを前記非同期網へ送信し、前記ペイロードは、前記複数のＴＤＭ回線の各々のＴＤＭデータと当該ＴＤＭ回線の回線宛先情報とからなる個別ＴＤＭペイロードを生成し、前記テーブルを参照することで、同一の宛先アドレスとなる前記個別ＴＤＭペイロードを束ねて生成され、前記回線宛先情報はＭＰＬＳ(Multi-Protocol Label Switched)ラベルおよびＵＤＰポート番号からなる、ことを特徴とする。
【０００９】
本発明による回線エミュレーションシステムは、複数のＴＤＭ(Time Division Multiplexing)回線を非同期網に接続する複数の回線エミュレーション装置を含む回線エミュレーションシステムであって、送信側の回線エミュレーション装置は、前記複数のＴＤＭ回線の各々の宛先となる前記非同期網上の他の回線エミュレーション装置のアドレスを格納するテーブルと、前記テーブルを参照することで、前記複数のＴＤＭ回線のうち同一の宛先アドレスとなるＴＤＭ回線のＴＤＭデータを束ねたペイロードに前記宛先アドレスを含むヘッダを付与した多重パケットを生成するパケット組立手段と、前記多重パケットを前記非同期網へ送信する送信手段と、を有し、前記パケット組立手段は、前記複数のＴＤＭ回線の各々のＴＤＭデータと当該ＴＤＭ回線の回線宛先情報とからなる個別ＴＤＭペイロードを生成する分解手段と、前記テーブルを参照することで、同一の宛先アドレスとなる前記個別ＴＤＭペイロードを束ねて多重化ＴＤＭペイロードを生成し前記多重パケットを組み立てる組立手段と、を有し、前記回線宛先情報はＭＰＬＳ(Multi-Protocol Label Switched)ラベルおよびＵＤＰポート番号からなり、受信側の回線エミュレーション装置は、  前記送信側の回線エミュレーション装置から多重パケットを受信する受信手段と、前記多重パケットを分解し、そのペイロードからＴＤＭ回線毎のＴＤＭデータを取り出すパケット分解手段と、を有する、ことを特徴とする。
【発明の効果】
【００１０】
本発明によれば、パケット数を削減してパケット転送の効率化およびネットワーク帯域の有効利用を達成できる。
【図面の簡単な説明】
【００１１】
【図１】（Ａ）は本発明の一実施形態による回線エミュレーション装置を用いた概略的ネットワーク図、（Ｂ）はＴＤＭフレームの例を示すフォーマット図である。
【図２】本発明の一実施例による回線エミュレーション装置の機能的構成を示すブロック図である。
【図３】（Ａ）は図２におけるＥＣＩＤ検索テーブルの一例を示す模式図、（Ｂ）は図２における個別ＴＤＭデータ長情報の一例を示す模式図、（Ｃ）は図２における出力ポート検索テーブルの一例を示す模式図である。
【図４】本実施形態で使用されるＣＥＳｏＰＳＮパケットのフォーマット図である。
【図５】図２に示す回線エミュレーション装置の送信系におけるCESoPSNパケットの組立処理の一例を示す模式図である。
【図６】図２に示す回線エミュレーション装置の受信系におけるCESoPSNパケットの分解処理の一例を示す模式図である。
【発明を実施するための形態】
【００１２】
１．一実施形態
図１（Ａ）に示すように、ここでは非同期網がパケット交換網１であり、本発明の一実施形態による回線エミュレーション装置１０がパケット交換網１に複数接続されているものとする。回線エミュレーション装置１０は、後述するように、パケット組立／分解部が設けられている。回線エミュレーション装置１０は、ＴＤＭフレームのタイムスロットを後述するように多重パケット化し、パケット交換網１を通して宛先の回線エミュレーション装置１０へ送信する。多重パケットのペイロードに格納された多重化ＴＤＭデータは、宛先の回線エミュレーション装置１０でＴＤＭ回線ごとにＴＤＭフレームに変換され、対応するＴＤＭ回線へ送出される。
【００１３】
本実施形態におけるＴＤＭフレームは、図１（Ｂ）に示すように、Ｔ１フレームおよびＥ１フレームのいずれであってもよい。Ｔ１フレームであればフレーミング情報Ｆがフレーム先頭にあり、Ｅ１フレームであれば各タイムスロットＴＳ内にフレーミング情報が格納されている。
【００１４】
回線エミュレーション装置１０のパケット組立／分解部は、ＴＤＭフレームからタイムスロットを取り出し、パケット交換網１上で同一の宛先であれば、出力先のＴＤＭ回線が異なっても同じパケットのペイロードに多重化する。こうして生成された多重パケットがパケット交換網１を通して宛先の回線エミュレーション装置１０へ送信される。
【００１５】
このように、出力先のＴＤＭ回線毎にEtherパケット化するのではなく、出力先のＴＤＭ回線が異なっても１つのパケット上に多重することで、パケット転送効率および帯域効率を向上させることができる。以下、RFC5086/MEF8で定義されているCESoPSNを用いた本発明の一実施例について詳細に説明する。
【００１６】
２．回線エミュレーション装置
図２において、本発明の一実施例による回線エミュレーション装置１０にはパケット組立／分解部１００が設けられている。後述するように、パケット組立／分解部は、送信系のパケット組立系１００ＴＸと受信系のパケット分解系１００ＲＸとからなる。パケット組立系１００ＴＸは、パケット交換網１上で同一の宛先であれば、出力先のＴＤＭ回線が異なっても同じパケットのペイロードに多重化し、パケット分解系１００ＲＸは受信した多重パケットを分解する。
【００１７】
ＴＤＭデータ終端部１０１は、複数のＴＤＭ回線のＴＤＭデータ(T1/E1)を受信し、LOS(Loss Of Signal)、LOF(Loss Of Frame)の監視およびフレーミング情報の終端を行い、タイムスロット部分をCESoPSNパケット生成部１０２へ出力する。具体的には、Ｔ１フレームであればフレーミングビットを削除し、タイムスロットＴＳ部分だけをCESoPSNパケット生成部１０２へ出力する。Ｅ１フレームであれば、タイムスロットＴＳ内にフレーミング情報が格納されているので全タイムスロットＴＳをCESoPSNパケット生成部１０２へ出力する。
【００１８】
CESoPSNパケット生成部１０２は、出力先のＴＤＭ回線番号に対応した回線宛先情報であるＥＣＩＤ(Emulated Circuit Identifier)をタイムスロットＴＳに付与し、パケットヘッダでカプセル化したCESoPSNパケットを生成してＥＣＩＤ検索部１０３へ出力する。
【００１９】
ＥＣＩＤ検索部１０３は、ＥＣＩＤ検索テーブル１０４を参照してCESoPSNパケットのＥＣＩＤフィールドからパケットの宛先を検索し、このパケット宛先とCESoPSNパケットとの組をCESoPSNパケット分解・組立部１０５へ出力する。ＥＣＩＤ検索テーブル１０４には、後述するように、パケット交換網１上の各回線エミュレーション装置１０のアドレスとＴＤＭ回線との対応が格納されている。すなわち、ＥＣＩＤ検索テーブル１０４を参照することで、どのＴＤＭ回線がどの回線エミュレーション装置１０に収容されているかを知ることができる。
【００２０】
CESoPSNパケット分解・組立部１０５は、各CESoPSNパケットからＥＣＩＤ以外のヘッダ部を削除し、ＥＣＩＤとＴＤＭペイロードとからなる個別ＴＤＭペイロードに分解する。こうして得られた各CESoPSNパケットの個別ＴＤＭペイロードを同一のパケット宛先ごとに多重化して（束ねて）多重化ＴＤＭペイロードを生成し、それにパケットヘッダを再付与した多重CESoPSNパケットをパケット送信部１０６がパケット交換網１に出力する。
【００２１】
パケット受信部１０７は、他の回線エミュレーション装置１０から受信した多重CESoPSNパケットをチェックし、異常が無ければパケット分解部１０８へ出力する。パケット分解部１０８は、ＥＣＩＤごとの個別ＴＤＭデータ長情報１０９を参照して、多重CESoPSNパケットの多重化ＴＤＭペイロードを個別ＴＤＭペイロードに分解し、ＥＣＩＤ比較部１１０へ出力する。
【００２２】
ＥＣＩＤ比較部１１０は、出力ポート検索テーブル１１１を参照して、個別ＴＤＭペイロードのＥＣＩＤから当該ＴＤＭデータが出力されるべきＴＤＭ回線番号を特定し、当該ＴＤＭデータと共に出力ポート振り分け部１１２へ出力する。
【００２３】
出力ポート振り分け部１１２は、ＴＤＭ回線番号に従ってＴＤＭデータを複数のＴＤＭ(T1/E1)回線に振り分ける。
【００２４】
上述したパケット組立系１００ＴＸは、ＥＣＩＤ検索部１０３、ＥＣＩＤ検索テーブル１０４、CESoPSNパケット分解・組立部１０５およびパケット送信部１０６からなり、パケット分解系１００ＲＸは、パケット受信部１０７、パケット分解部１０８および個別ＴＤＭデータ長情報１０９からなる。なお、ＥＣＩＤ検索テーブル１０４、個別ＴＤＭデータ長情報１０９および出力ポート検索テーブル１１１を除いて、回線エミュレーション装置１０と同等の機能は、プログラムをプログラム制御プロセッサ上で実行することにより実現することも可能である。
【００２５】
図３（Ａ）に示すように、ＥＣＩＤ検索テーブル１０４には、パケット交換網１上の各回線エミュレーション装置１０のＭＡＣアドレスとＴＤＭ回線を特定するＥＣＩＤとの対応が格納されている。ここでは、エミュレート回線識別子ＥＣＩＤａ、ＥＣＩＤｂおよびＥＣＩＤｃが１つのＭＡＣアドレスＭＡＣ＃Ａに対応付けられ、以下同様に、各回線エミュレーション装置１０のＭＡＣアドレスが複数のエミュレート回線識別子に対応付けられているものとする。ＥＣＩＤ毛なく部１０３は、CESoPSNパケット生成部１０２から入力したCESoPSNパケットのＥＣＩＤから宛先となるＭＡＣアドレス情報を得ることができる。
【００２６】
図３（Ｂ）に示すように、個別ＴＤＭデータ長情報１０９には、各ＥＣＩＤのデータ長が記憶されているものとする。この例では、エミュレート回線識別子ＥＣＩＤａ、ＥＣＩＤｂおよびＥＣＩＤｃは、それぞれ１２バイト、１６バイトおよび１バイトとなっている。パケット分解部１０８は、受信した多重CESoPSNパケットの多重化ＴＤＭペイロードの各ＥＣＩＤと個別ＴＤＭデータ長情報１０９とを比較することで、多重化ＴＤＭペイロードから個別ＴＤＭペイロードをそれぞれ切り出すことができる。
【００２７】
図３（Ｃ）に示すように、出力ポート検索テーブル１１１には、エミュレート回線識別子ＥＣＩＤと出力ＴＤＭ回線番号との対応が格納されている。ＥＣＩＤ比較部１１０は、個別ＴＤＭペイロードのＥＣＩＤを用いて出力ポート検索テーブル１１１を検索することで、当該個別ＴＤＭペイロードのＴＤＭデータが出力されるべきＴＤＭ回線番号を特定することができる。
【００２８】
また、図４に示すように、CESoPSNパケット生成部１０２により生成されるCESoPSNパケットのヘッダには、出力先ＤＭ回線に対応したＥＣＩＤが付与される。
【００２９】
３．多重パケットの組立
まず、ＴＤＭデータ終端部１０１はＴＤＭデータ(T1/E1)を受信し、LOS(Loss  Of Signal),LOF(Loss Of Frame)の監視およびフレーミング情報の終端を行い、回線種別がＴ１であればフレーミングビットを削除してタイムスロット部分だけをCESoPSNパケット生成部１０２へ出力する。
【００３０】
CESoPSNパケット生成部１０２は、図４に示すように、出力先のＴＤＭ回線が同一の１つ以上のタイムスロットに対して、予め設定された宛先ＭＡＣアドレス、送信元ＭＡＣアドレスを使用して生成したパケットヘッダに当該出力先ＴＤＭ回線番号に対応した回線識別子であるＥＣＩＤを付与することでCESoPSNパケットを生成し、ＥＣＩＤ検索部１０３へ出力する。ＥＣＩＤ検索部１０３は、ＥＣＩＤ検索テーブル１０４を参照してCESoPSNパケットのＥＣＩＤフィールドからパケットの宛先のＭＡＣアドレスを検索し、このＭＡＣアドレスとCESoPSNパケットとの組をCESoPSNパケット分解・組立部１０５へ出力する。
【００３１】
CESoPSNパケット分解・組立部１０５は、各CESoPSNパケットからＥＣＩＤ以外のヘッダ部を削除し、ＥＣＩＤとＴＤＭペイロードとからなる個別ＴＤＭペイロードに分解する。
【００３２】
たとえば、図５に示すように、３つのCESoPSNパケットをそれぞれ分解することにより、３つの個別ＴＤＭペイロード２０１ａ、２０１ｂおよび２０１ｃが得られたとする。このうち、個別ＴＤＭペイロード２０１ａおよび２０１ｃは、図３（Ａ）に示すＥＣＩＤ検索テーブル１０４から同じ宛先ＭＡＣアドレス情報ＭＡＣ＃Ａであることが分かる。従って、個別ＴＤＭペイロード２０１ａおよび２０１ｃが束ねられて（多重されて）多重化ＴＤＭペイロード２０１ｄが生成され、それに宛先アドレスＭＡＣ＃ＡのEtherヘッダＡを再付与した多重CESoPSNパケットが生成されてパケット交換網１に出力される。個別ＴＤＭペイロード２０１ｂは、図３（Ａ）に示すＥＣＩＤ検索テーブル１０４から宛先ＭＡＣアドレス情報がＭＡＣ＃Ｂであるから、単独で多重化ＴＤＭペイロード２０１ｅとなり、それに宛先アドレスＭＡＣ＃ＢのEtherヘッダＢを再付与した多重CESoPSNパケットが生成され、パケット送信部１０６を通してパケット交換網１に出力される。
【００３３】
４．多重パケットの分解
上述した多重CESoPSNパケットを他の回線エミュレーション装置１０から受信すると、  パケット受信部１０７は、受信した多重CESoPSNパケットのＣＲＣチェック等を行い、パケットに異常が無ければパケット分解部１０８へ出力する。
【００３４】
図６に示すように、パケット分解部１０８は、受け取った多重CESoPSNパケットの多重化ＴＤＭペイロードのＥＣＩＤを読み出し、個別ＴＤＭデータ長情報１０９から得た各ＥＣＩＤのデータ長を用いて多重化ＴＤＭペイロードを個別ＴＤＭペイロード２０１ａおよび２０１ｃに分解する。分解により得られた個別ＴＤＭペイロード２０１ａおよび２０１ｃがＥＣＩＤ比較部１１０へ出力される。
【００３５】
ＥＣＩＤ比較部１１０は、出力ポート検索テーブル１１１を参照して、個別ＴＤＭペイロード２０１ａおよび２０１ｃの先頭にそれぞれ付与されているＥＣＩＤａおよびＥＣＩＤｄから当該ＴＤＭデータが出力されるべきＴＤＭ回線番号（この例では共に＃１）をそれぞれ特定する。このＴＤＭ回線番号とＴＤＭデータとが出力ポート振り分け部１１２へ出力される。
【００３６】
出力ポート振り分け部１１２は、ＴＤＭ回線番号に従ってＴＤＭデータを複数のＴＤＭ(T1/E1)回線に振り分け、出力物理番号を削除した上でタイムスロットが合致するようリタイミングを行ったうえでそれぞれのＴＤＭ回線へ出力する。
【００３７】
５．効果
以上説明したように、本実施例によれば、出力先のＴＤＭ回線毎にパケット化するのではなく、出力先のＴＤＭ回線が異なっている場合であっても１つのパケットにＴＤＭデータを多重することができるので、パケット転送効率および帯域効率の向上を達成できる。
【００３８】
また、本実施例によれば、ＥＣＩＤを宛先情報として使用しているので、Etherパケットヘッダの宛先／送信元ＭＡＣアドレス領域を削減することができる。さらに、CESoPSNパケット生成部１０２により生成されるCESoPSNパケットは、CESoPSNの標準フォーマットを使用しているので、多重化が不要な場合、勧告で規定されたフォーマットとの互換性を保持することができるという利点もある。
【００３９】
６．他の実施例
上述した実施例では、ＥＣＩＤを回線宛先情報として使用しているが、ＥＣＩＤの代わりに、ＭＰＬＳ(Multi-Protocol Label Switched)ラベルおよびＵＤＰポート番号を回線宛先情報と使用することもできる。これにより非特許文献１（RFC5086）にある全てのパケットフォーマットに対応することが可能となる。
【００４０】
また、上述した実施例では、CESoPSNパケット生成部１０２がＴＤＭデータをCESoPSNパケット化し、CESoPSNパケット分解/組立部１０５が再度組立処理を実施しているが、本発明はこの構成に限定されるものではない。CESoPSNパケット生成時に同時に多重化ＴＤＭペイロードを生成して多重CESoPSNパケットを組み立てることも可能である。言い換えれば、パケット組立系１００ＴＸの機能をCESoPSNパケット生成部１０２に含めることもできる。
【産業上の利用可能性】
【００４１】
本発明はＴＤＭ回線エミュレーション技術一般に適用可能である。
【符号の説明】
【００４２】
１  パケット交換網
１０  回線エミュレーション装置
１００ＴＸ  パケット組立系
１００ＲＸ  パケット分解系
１０１  ＴＤＭデータ終端部
１０２  CESoPSNパケット生成部
１０３  ＥＣＩＤ検索部
１０４  ＥＣＩＤ検索テーブル
１０５  CESoPSNパケット分解・組立部
１０６  パケット送信部
１０７  パケット受信部
１０８  パケット分解部
１０９  個別ＴＤＭデータ長情報
１１０  ＥＣＩＤ比較部
１１１  出力ポート検索テーブル
１１２  出力ポート振り分け部
【図１】
0005413654.tif 000002
【図２】
0005413654.tif 000003
【図３】
0005413654.tif 000004
【図４】
0005413654.tif 000005
【図５】
0005413654.tif 000006
【図６】
0005413654.tif 000007